(57)【要約】【課題】移動式酸素供給装置において、移動中であっても、供給対象に対して、継続して高濃度酸素空気を供給することを可能にすること。【解決手段】筐体５の内部に、高濃度酸素発生装置６と電動式酸素発生移送補助具７と独立電源部８とを備える構成とし、筐体５に接続した高濃度酸素空気移送菅９を介して、供給対象に向かう吐出口１０を備えた構成としている。これにより、高濃度酸素発生装置６、電動式酸素発生移送補助具７を移動可能な独立電源部８からの電力の供給で、移動中であっても、高濃度酸素空気を供給することが可能な移動式酸素供給装置とすることができる。【選択図】  図１
2004292208.tif 000002
【特許請求の範囲】
【請求項１】
周辺空気の中から酸素の割合を多く吸引する高濃度酸素生成装置と、独立して移動可能な電源部とを備え、周辺空気に比べて酸素濃度を高濃度とした空気を作り出し、対象とする目標に対して移動状態でも供給可能な構成とした移動式酸素供給装置。
【請求項２】
供給された空気から酸素をより多く透過させる気体分離膜と、前記気体分離膜から空気を吸引して高濃度酸素空気を吐出する電動ポンプと、前記気体分離膜に空気を送風する電動送風機と、前記電動ポンプや電動送風機に電力を供給する独立して移動可能な電源部と、前記電動ポンプからの高濃度酸素空気を対象目標に供給する移送手段とを有し、移動している状態でも対象とする目標に対して高濃度酸素の供給が可能な移動式酸素供給装置。
【請求項３】
電源部として、再充電可能な蓄電池を用いた請求項１または２に記載の移動式酸素供給装置。
【請求項４】
電源部と酸素供給部の２ユニットから成立し、前記電源部を着脱可能な状態で酸素供給部と全体としては一体に構成し、必要に応じて前記電源部を外して予備電源部との交換を可能とした請求項１から３のいずれか１項に記載の移動式酸素供給装置。
【請求項５】
電源部の電源の種類を、車用のものと同種として、前記電源部を酸素供給部に設置した状態、若しくは外した状態で、車の電源から酸素供給部に電力を供給することを可能な構成とした請求項１から４のいずれか１項に記載の移動式酸素供給装置。
【請求項６】
酸素供給装部と、電源部とを分離して構成した請求項１から５のいずれか１項に記載の移動式酸素供給装置。
【請求項７】
構成全体、若しくは、少なくとも酸素供給部を携帯して移動可能な構成とした請求項６に記載の移動式酸素供給装置。
【請求項８】
高濃度酸素空気の吐出口を首の周辺下部に固定し、頭部方向に向けて噴出させる構成とした請求項１から請求項６のいずれか１項に記載の移動式酸素供給装置。
【請求項９】
電源部として燃料電池を用いた請求項１から７のいずれか１項に記載の移動式酸素供給装置。
【請求項１０】
空気から酸素をより多く透過させる気体分離膜と、前記気体分離膜から空気を吸引し、高濃度酸素空気を吐出する電動ポンプと、前記電動ポンプに電力を供給する独立して移動可能な電源部と、前記電動ポンプからの高濃度酸素空気を対象目標に供給する移送手段とを有し、移動している状態で対象とする目標に対して高濃度酸素の供給が可能な移動式酸素供給装置。
【発明の詳細な説明】
【０００１】
【発明の属する技術分野】
本発明は、移動可能な電源部を有し、周辺空気を加工することにより、酸素濃度を周辺空気より高くした空気を移動しながら供給することが可能な、移動式の酸素供給装置に関するものである。
【０００２】
【従来の技術】
圧縮酸素を封入した酸素ボンベを用いて、該酸素ボンベからの吐出量を電磁弁にて調整しながら酸素を供給する装置がある（例えば、特許文献１参照）。図１０は、前記特許文献１に記載された従来の酸素供給装置を示すものである。
【０００３】
図１０において、１は筐体で、内部に酸素ボンベ２や制御機器３等を有して、吐出口４から酸素を外部へと出す構成になっている。
【０００４】
【特許文献１】
特開平０６−１５９７１５号公報
【０００５】
【発明が解決しようとする課題】
上記従来の酸素供給装置では、酸素ボンベ２の容量により供給量が制限され、必要とするときに供給できない事態を招き、長く酸素を供給しようとすれば、酸素ボンベ２の巨大なものが必要となり、移動しつつ使うには自ら制限を有した構成となっているという課題を有していた。
【０００６】
本発明は、上記課題を解決するためのものであり、周辺の空気から酸素を濃縮する装置を備えて、高酸素濃度の空気を作り出して供給し、しかも移動可能な酸素を供給する装置を提供することを目的としている。
【０００７】
【課題を解決するための手段】
前記課題を解決するために本発明は、筐体の内部に筐体外部から筺体内部に流入して流動する空気から酸素を濃縮する酸素濃縮装置を備えて、尚且つ電源として移動可能なものを備えて、これらにより移動しながらでも、高酸素濃度空気を作り出して、筐体の外部にある目標対象物に供給する事を可能とするものである。
【０００８】
【発明の実施の形態】
本発明の請求項１記載の発明は、移動可能な電源部を有して、筐体の内部に周辺空気を導いて流動状態とし、その流動空気の中から酸素の割合をより多く吸引する構成としている。
【０００９】
これにより、移動可能な状態で、周辺空気に比べて酸素濃度を高濃度とした空気を筐体外部の対象とする目標に対して供給する事を可能としている。
【００１０】
本発明の請求項２に記載の発明は、空気から酸素をより多く分離する気体分離膜と、前記気体分離膜から高濃度酸素空気を吸引する電動ポンプと、前記気体分離膜に空気を供給する電動送風機を設け、前記電動ポンプからの高濃度酸素空気を供給対象に導く空気移送菅を設けた構成として、これらの電動装置に電力を供給する電源として独立して移動可能な電源を用いた形態としている。
【００１１】
これにより、移動している状態でも供給対象者に高濃度酸素空気を供給することを可能とした、移動式高濃度酸素供給装置とすることが可能となっている。
【００１２】
本発明の請求項３に記載の発明は、移動可能な電源として再充電が可能な蓄電池と用いたものとしている。
【００１３】
この構成により、構成全体の軽量化が図れると共に、必要に応じて充電すれば再利用が図れる酸素供給装置とすることが可能となる。
【００１４】
本発明の請求項４に記載の発明は、請求項１から３のいずれか１項に記載の移動可能な電源部を、着脱可能な状態で酸素供給部と一体に形成した構成としている。
【００１５】
これにより、電源部を別途に用意しておくことにより、必要に応じて交換しながら使用することが可能となり、使用時その都度の重量は軽量化を図りつつ、トータルの使用時間の長時間化を図る事が出来る。
【００１６】
本発明の請求項５に記載の発明は、移動可能な電源部を設置した状態若しくは、外した状態にて、車のバッテリーから電力を供給できることが出来る構成としている。
【００１７】
これにより、乗車時には車内に持ち込んで車からの電力で高酸素濃度空気を供給できることを可能としている。
【００１８】
本発明の請求項６に記載の発明は、酸素供給部と電源部とを別の筺体とした構成とし、離れた位置にある前記電源部から前記酸素供給部に、電線等を用いて電力を供給する構成としている。
【００１９】
これにより、酸素供給部は使用者の近辺に置いて、電源部は少し離れた位置に置いて使用すること等が可能となる。
【００２０】
本発明の請求項７に記載の発明は、少なくとも酸素供給部は身に付けて移動が可能な構成としている。
【００２１】
これにより、使用者の身に付けて移動しつつ、身軽な状態で高濃度酸素を吸引することが可能となる。
【００２２】
本発明の請求項８に記載の発明は、請求項１〜７のいずれか１項に記載の構成に加えて、高濃度酸素の空気が吐出する吐出口を、使用者の首の周辺下部に設け、高濃度酸素空気を使用者の頭部に向けて噴出する構成としている。
【００２３】
これにより、頭部に吹き出し口を設置している意識をしなくて高濃度酸素を吸引することが可能となる。
【００２４】
本発明の請求項９に記載の発明では、請求項１〜８のいずれか１項に記載の移動可能な電源として燃料電池を用いた構成としている。
【００２５】
これにより、燃料を持って移動することにより、電源不足で酸素供給が停止する不安を解消することを可能としている。
【００２６】
本発明の請求項１０に記載の発明では、高濃度の酸素を分離する装置に対して空気を供給する電動送風機を省略した形態とし、使用者の移動による空気の流れにより高濃度酸素を分離する形態としている。
【００２７】
これにより、軽量で安価な移動式酸素供給装置の提供が可能となる。
【００２８】
【実施例】
（実施例１）
本発明の請求項１の記載に関わる一実施例を図１に基づいて説明する。図１において、筐体５の内部に高濃度酸素発生装置６、電動式酸素発生移送補助具７、独立電源部８を設け、筐体５に酸素移送菅９を接続させて、これに続いて酸素供給対象（図示せず）に向ける吐出口１１を設け、更に筐体５を移動させる移動用具１２を備えた構成としている。
【００２９】
上記の高濃度酸素発生装置６の具体例としては、例えば酸素富化膜のような気体分離膜が有り、電動式酸素発生移送補助具７の具体例としては、電動ポンプのようなものがあるが、以下には改めては記さない。
【００３０】
上記の構成における動作について説明する。電源部８からの電力供給により、電動式酸素発生移送補助具７が働くことで、高濃度酸素発生装置６から高濃度酸素空気を生成し、移送菅９を経由して吐出口１０から供給対象にむけて送付することとなる。筐体５は移動用具１１を有しており、電源８も独立しているので、全体として移動が可能であり、しかも電源部８が稼動している限り移動しつつの酸素供給を可能としている。
【００３１】
これにより高濃度酸素の空気を移動している状況でも供給することが可能な機器とすることが出来る。
【００３２】
（実施例２）
本発明の請求項２、請求項３、請求項９の記載に関わる一実施例を図２に基づいて説明する。図において、筐体１１の内部に、空気から窒素よりも酸素を速く透過させる気体分離膜である酸素富化膜１２、酸素富化膜１２に筐体１１の外部から空気を供給する送風機１３、電動ポンプ１４、独立電源部１５を設け、電動ポンプ１４の吸引側ホース１６は酸素富化膜１２に繋がり、吐出側ホース１７は、筐体１１に接続して設けた高濃度酸素空気移送菅１８へと繋がっている。１９は移送菅１８に連なる酸素供給対象（図示せず）に向ける吐出口であり、筐体１１には移動用ベルト２０を備えた構成としている。
【００３３】
請求項３に記載の発明の一実施例として、電源部１５に再充電可能な充電式蓄電池である、Ｎｉ−Ｈ電池を用い、請求項９に関わる一実施例としては、電源部１５に燃料電池を用いた構成とすることが出来る。
【００３４】
上記の構成における動作について説明する。電源部１５からの電力供給により、送風機１３が働くことで酸素富化膜１２に向けて筐体１１の外部から空気を送り、同じく電動ポンプ１４の働きで、上記の外部から送られてきた空気から酸素富化膜１２を通して高濃度酸素を吸引ホース１６から吸引し、吐出側ホース１７、移送菅１８、吐出口１９を経由して供給対象に高濃度酸素空気を供給する。電源部１５が移動可能なものであることから、上記の酸素供給を供給対象者が移動中であっても継続して実施することが可能なものとしている。
【００３５】
更に、電源部１５をＮｉ−Ｈとした場合は、電源部１５の電力供給能力が低下した時などは、近くにある固定電源から再充電することなどで継続して移動しながら酸素を供給することが可能となる。また、電源部１５を燃料電池とした場合には、別途燃料となる、例えば水素ボンベなどを携行することにより継続して酸素を供給する機器を提供することが可能となっている。
【００３６】
これにより高濃度酸素の空気を移動している状況でも供給することが可能な機器とすることが出来る。
【００３７】
（実施例３）
更に、本発明の請求項４の記載に関わる一実施例を図３に基づいて説明する。本実施例の構成は、実施例２とほぼ同様であるので同構成のものは図番を共用して特徴のある構成についてのみ説明する。すなわち図３において、筐体２１を、酸素富化膜１２や電動ポンプ１４を内包する筐体２１ａと、電源部２２を内包する筐体２１ｂとから構成している。他の構成は実施例２と同様である。
【００３８】
上記の構成における動作について説明する。酸素を供給するという基本的な動作に関しては実施例２と同様であるので、ここでは、特徴のある内容についてのみ記載する。すなわち、電源部２２を内包する筐体２１ｂを数多く用意することで、予備電源とすることが出来、使用中の電源部２２の電力供給能力が低下したときなど、電源部２２を外して別途用意した電源部に交換し、交換して使用している間に電力供給能力の低下した電源を充電することが可能となり、絶え間なく高濃度酸素を移動しつつでも供給可能な機器とすることが出来る。
【００３９】
これにより、移動している状態であっても、電源切れの心配なく高濃度の酸素を供給し続けることが可能となる。
【００４０】
（実施例４）
また、本発明の請求項５の記載に関わる一実施例を、図４および図５に基づいて説明する。本実施例の構成は、実施例３とほぼ同様であるので同構成のものは図番を共用して特徴のある構成についてのみ説明する。即ち、図４では電源部２３には乗用車のシガーライターからの電源線２４を接続可能としている。また、図５では、電源部が外された状態で乗用車のシガーライターからの電源線２４が接続された例を示している。
【００４１】
上記の構成における動作について説明する。酸素を供給するという基本的な動作に関しては実施例３と同様であるので、ここでは、特徴のある内容についてのみ記載する。すなわち、電源部２３の有無に関わらず、電力の供給手段として、乗用車のバッテリーを、電源線２４を介して利用することが可能となっているのである。
【００４２】
これにより、乗用車内で高濃度酸素の供給が必要なときや、目的地まで乗用車で移動中などにあらかじめ車の電源から充電を済ましておくことが可能となる。
【００４３】
また、詳細には記載していないが、電源部２３の電圧が乗用車の電圧と異なる場合などには、電源線２４に電圧変換機などを設けておくことも可能である。
【００４４】
（実施例５）
そして、本発明の請求項６の記載に関わる一実施例を図６に基づいて説明する。本実施例の基本的な構成要素は実施例２のものと同じものが多いので、共通のものは同じ番号を用いて説明する。即ち、図６において、筐体２５には、気体分離膜１２、吸引ポンプ１４等を内包し、この筐体２５とは分離した形で、電力供給線２６を介して電源部２７を設けた構成としている。他の構成は実施例２と同様である。
【００４５】
上記の構成における動作について説明する。酸素を供給するという基本的な動作に関しては実施例２と同様であるので、ここでは、特徴のある内容についてのみ記載する。すなわち、電源部２７を筐体２５と分離しているので、筐体２５をコンパクトに設計することが可能となる。
【００４６】
これにより、移動などが容易になり、また、電源部２７を筐体２５から離しておくことが出来るので、筐体２５は身に付け、電源部２７は体から離して、例えばキャスター付のバッグに入れて引っ張るなどして、移動することが可能となり、用途の範囲を拡げて使用することが出来ることになる。
【００４７】
（実施例６）
また、本発明の請求項７の記載に関わる一実施例を図７に基づいて説明する。本実施例の基本的な構成要素は実施例６のものと同じものが多いので、共通のものは同じ番号を用いて説明する。即ち、図７において、筐体２５には、気体分離膜１２、吸引ポンプ１４等を内包し、肩掛けベルと２８を有し、この筐体２５とは分離した形で、電力供給線２６を介して電源部２７を、腰ベルト掛け２９を有して設けた構成としている。他の構成は実施例６と同様である。
【００４８】
上記の構成における動作について説明する。酸素を供給するという基本的な動作に関しては実施例６と同様であるので、ここでは、特徴のある内容についてのみ記載する。すなわち、電源部２７を筐体２５と分離しているので、筐体２５をコンパクトに設計することが可能であるのに加えて、肩掛けベルト２８で筐体２５を肩からぶら下げ、腰ベルト掛け２９により腰のベルトに引っ掛けての運搬が容易となる。
【００４９】
これにより、身に付けた状態での移動などが容易になり、筐体２５と電源部２７を身に付けて移動することが出来、さまざまな状況下で利用出来ることになる。
【００５０】
（実施例７）
本発明の請求項８の記載に関わる一実施例を図８に基づいて説明する。高濃度酸素を発生する筐体（図示せず）に接続して設けた高濃度酸素空気移送菅１８から高濃度酸素空気の吐出口３０を、使用者の首の周辺下部に設け、ここから、首の方向に向けて高濃度酸素空気を吐出出来る様に構成している。
【００５１】
上記の構成により、使用者は、わざわざ吐出口に鼻を運ぶ必要なく自然な状態で高濃度酸素を吸引することが可能となるのである。
【００５２】
（実施例８）
本発明の請求項１０の記載に関わる一実施例を図９に基づいて説明する。図において、筐体３１の内部に、空気から窒素よりも酸素を速く透過させる気体分離膜である酸素富化膜３２、酸素富化膜３２に向けて開けて筐体３１に設けた、外部空気導入窓３３、電動ポンプ３４、独立電源部３５を設け、電動ポンプ３４の吸引側ホース３６は酸素富化膜３２に繋がり、吐出側ホース３７は、筐体３１に接続して設けた高濃度酸素空気移送菅３８へと繋がっている。３９は移送菅３８に連なる酸素供給対象（図示せず）に向ける吐出口であり、筐体３１には移動用ベルト４０を備えた構成としている。
【００５３】
上記の構成における動作について説明する。筐体３１を持って移動することにより、外部空気導入窓３３から酸素富化膜３２に向けて空気が供給されるのであるが、この時、電源部３５の電力供給で電動ポンプ３４が働き、上記に示す外部から導入された空気から酸素富化膜３２を通して高濃度酸素を吸引ホース３６から吸引し、吐出側ホース３７、移送菅３８、吐出口３９を経由して供給対象に高濃度酸素空気を供給する。電源部３５が移動可能なものであることから、上記の酸素供給を供給対象者が移動中であっても継続して実施することが可能なものとなっている。
【００５４】
【発明の効果】
以上のように、請求項１〜１０に記載の本発明によれば、移動しながらでも、高酸素濃度の空気を作り出し、筐体の外部にある目標対象物に供給する事を可能とする移動式酸素供給装置が実現できる。
【図面の簡単な説明】
【図１】本発明の実施例１における移動式酸素供給装置の斜視図
【図２】本発明の実施例２における移動式酸素供給装置の斜視図
【図３】本発明の実施例３における移動式酸素供給装置の斜視図
【図４】本発明の実施例４における移動式酸素供給装置の斜視図
【図５】同実施例における移動式酸素供給装置の他の斜視図
【図６】本発明の実施例５における移動式酸素供給装置の斜視図
【図７】本発明の実施例６における移動式酸素供給装置の斜視図
【図８】本発明の実施例７における移動式酸素供給装置の斜視図
【図９】本発明の実施例８における移動式酸素供給装置の斜視図
【図１０】従来の酸素発生装置の断面図
【符号の説明】
６  高濃度酸素発生装置
７  電動式酸素発生移送補助具
８  独立電源部
１２  酸素富化膜
１３  送風機
１４  電動ポンプ
１５  独立電源部
【図１】
2004292208.tif 000003
【図２】
2004292208.tif 000004
【図３】
2004292208.tif 000005
【図４】
2004292208.tif 000006
【図５】
2004292208.tif 000007
【図６】
2004292208.tif 000008
【図７】
2004292208.tif 000009
【図８】
2004292208.tif 000010
【図９】
2004292208.tif 000011
【図１０】
2004292208.tif 000012